(57)【要約】【課題】従来の電気コーヒーメーカーは焙煎したコーヒー豆の粉を使用する製品であって、美味しいコーヒーを入れることができたが、一人一人が飲みたいときにコーヒーを入れるという点では不便で不経済であった。【解決手段】本発明ではインスタントコーヒー粉を使用して、簡単なスイッチ操作で一人分のコーヒーを入れることができる電気インスタントコーヒーメーカーである。インスタントコーヒー粉は一般市販されている瓶容器入り製品を使うことができ、その瓶容器のまま本発明製品にセットすることができる。湯沸容器が装置されており、いつでも簡単操作でコーヒーカップ一杯分の湯が出湯してコーヒーを入れることができる製品である。人が集まる会社のオフィスや商談ルームなどに設置すると大変便利である。【選択図】図１
2010259766.tif 000002
【特許請求の範囲】
【請求項１】
湯を注ぐだけでコーヒーを入れることができるインスタントコーヒー粉を使用して、スイッチ操作で自動的にインスタントコーヒー粉をコーヒーカップに入れることができ、さらにスイッチ操作によって自動的にコーヒーカップに湯を注ぐことができる電気インスタントコーヒーメーカー。
【請求項２】
請求項１の製品であって、コーヒーカップ一杯分量のインスタントコーヒー粉をコーヒーカップに自動的に入れるために複数の孔が設けられた可動板があり、可動板はスイッチ操作によって一定距離を移動してインスタントコーヒー粉をコーヒーカップに入れることができる電気インスタントコーヒーメーカー。
【請求項３】
請求項１の製品であって、湯沸容器に水タンクの水が流入するとき一定水位までスムースに流入するようにエアー抜きパイプが設けてあり、エアー抜きパイプの途中には電磁弁がある。電磁弁は湯沸容器内の湯が一定温度になったとき閉じて、湯沸容器内の圧力が上昇する電気インスタントコーヒーメーカー。
【発明の詳細な説明】
【技術分野】
【０００１】  本発明は従来の電気コーヒーメーカーのように焙煎したコーヒー豆の粉を使用する方式ではなく、湯を注ぐだけでコーヒーを入れることができるインスタントコーヒー粉を使用する電気コーヒーメーカーである。また、誰でも飲みたいときに簡単操作でコーヒーを入れることができるコーヒーメーカーを提供するものである。
【背景技術】
【０００２】  従来の電気コーヒーメーカーは焙煎したコーヒー粉を使うため、コーヒーを入れるたびにフィルターを交換し、コーヒー粉を入れなければならなかった。【０００３】  従って、一人で飲みたいときなどは大変不便で、不経済であった。家庭で数人で飲むときは便利であるが、たとえば会社のオフィスや会議室などで多くの人たちがそれぞれに飲みたいときに飲むということはできなかった。
【特許文献１】  特開平１１−２７６３５１号公報
【特許文献２】  特開２００３−２２５１６４号公報
【発明の開示】
【発明が解決しようとする課題】
【０００４】  従来の電気コーヒーメーカーでは一度に数人分のコーヒーを入れるときは便利であり、焙煎したコーヒー豆の粉を使用するため美味しいコーヒーを入れることができた。しかし、一人で飲みたいときに飲むという点では不便であった。【０００５】  そこで、本発明はインスタントコーヒー粉を使用する電気コーヒーメーカーであって、誰でも好きなときに簡単にコーヒーを入れることができるようにした製品である。最近のインスタントコーヒーは大変美味しく、また市販されているインスタントコーヒーの種類は非常に多く、一般的に広く愛飲されている。【０００６】  本発明の電気インスタントコーヒーメーカーに市販のインスタントコーヒーを容器のまま取り付けることによって簡単にコーヒーを入れることが出来る。インスタントコーヒー粉はスイッチ操作で自動的にコーヒーカップに入り、次のスイッチ操作でコーヒーカップに湯が注がれ、コーヒーができる。【０００７】  本発明の電気インスタントコーヒーメーカーは家庭用としても使えるが、人が集まる場所、つまり、オフィス、会議室や応接室などに最適である。来客のもてなしに時間をかけることなくコーヒーを入れることができる。
【課題を解決するための手段】
【０００８】  本発明は市販されているインスタントコーヒーが入っている瓶容器をそのまま電気インスタントコーヒーメーカー本体に取り付けることができる。このようにすることでインスタントコーヒー粉をスプーンでコーヒーカップに入れる必要はなくなる。もちろん、瓶容器に替えて専用の容器にインスタントコーヒー粉を移し替えて使用することもできる。【０００９】  図１は本発明の概観を示す一図例であるが、インスタントコーヒー粉７が入った瓶容器６がセットされている。インスタントコーヒー粉７をコーヒーカップ３に入れるための粉スイッチ２が付いている。粉スイッチ２を操作するとコーヒーカップ一杯分のインスタントコーヒー粉７がコーヒーカップ３に入る。【００１０】    次にコーヒーカップ３を出湯位置に移動して、出湯スイッチ４を操作するとコーヒーカップ一杯分の湯が注がれる。このように誰にでも簡単操作でコーヒーを入れることができるインスタントコーヒーを使用した電気インスタントコーヒーメーカーである。
【発明の効果】
【００１１】  一日に何杯もコーヒーを飲む愛好者は多いが、従来の電気コーヒーメーカーで一人分のコーヒーを何回も入れることは煩雑で不経済であった。本発明の電気インスタントコーヒーメーカーはその煩雑さがなく、誰でもいつでも簡単に一杯のコーヒーを入れることができる。【００１２】  さらに、本発明の電気インスタントコーヒーメーカーは、人が集まる場所に設置されたとき、飲みたい人が自分でコーヒーを入れることができる。インスタントコーヒーを使っているので経済的であって、且つ従来の電気コーヒーメーカーのように、フィルター交換やコーヒー粉を自分で入れる必要はなく、スイッチ操作だけでコーヒーを入れることができる。
【発明を実施するための最良の形態】
【実施例】
【００１３】  以下、本発明の実施例を図１、図２、図３、図４に基づいて説明する。図２、図３は粉スイッチ２の操作によって自動的にコーヒーカップ３に一人分のインスタントコーヒー粉７を入れるための構成図である。【００１４】  インスタントコーヒー粉７が入った瓶容器６は蓋Ａ８と蓋Ｂ９で蓋をされ、本体１２に結合されている。瓶容器６と蓋Ａ８、蓋Ｂ９の働きは瓶容器６を本体１２にセットするときにインスタントコーヒー粉７がこぼれないようにするための方法である。【００１５】  瓶容器６に蓋Ａ８を取り付けたとき蓋Ａ８の孔Ａ１３はａ位置にある。更に蓋Ｂ９を取り付けたとき蓋Ｂ９の孔Ｂ１４はｂ位置にある。したがって、瓶容器６を逆さまにしてもインスタントコーヒー粉７がこぼれない。【００１６】  この状態で瓶容器６を本体１２にセットする。本体１２には蓋Ｂ９が勘合する蓋固定板１０が構成されており、蓋固定板１０のｂ位置に孔Ｃ１５を設けてある。そこで瓶容器６を手動で右回転すると、瓶容器６と蓋Ａ８のみが回転して孔Ａ１３はｂ位置に来て、蓋Ｂ９の孔Ｂ１４と蓋固定板１０の孔Ｃ１５に合致する。【００１７】  さらに、蓋固定板１０の下には可動板１１がある。可動板１１にはコーヒーカップ一杯分のインスタントコーヒー粉７が入る孔Ｄ１６、孔Ｅ１７、孔Ｆ１８、孔Ｇ１９が設けられている。それぞれの孔がｂ位置に移動したときにインスタントコーヒー粉７が入る。【００１８】  可動板１１はステッピングモーター２０に連結されており、粉スイッチ２の操作で１／４左回転する。ｂ位置で孔Ｄ１６に入ったインスタントコーヒー粉７はｃ位置に達する。ｃ位置で孔Ｄ１６は粉出ノズル２１と合致するため、インスタントコーヒー粉７はコーヒーカップ３に入る。次にコーヒーカップ３を出湯位置に移動する。【００１９】  図４は湯をコーヒーカップ３に注ぐための構成図である。水タンク５は一箇所のみに開口部があり、本体１２にセットしたときは密封型であって、開口部は水タンク受け容器２２と結合する。水タンク受け容器２２と湯沸容器２３は連結パイプ２４で連結されている。水タンク５の水２５は湯沸容器２３に流れ込み、大気圧と平衡した水位線Ａで止まる。【００２０】  湯沸容器２３は内部にヒーター２６と温度センサー２７が装置されている。また外部に出湯パイプ２８とエアー抜きパイプ２９が装置されている。エアー抜きパイプ２９の途中には通気を遮断することができる電磁弁３０が装置されている。連結パイプ２４の途中には湯沸容器２３の湯が水タンク受け容器２２側へ逆流しないように逆流防止弁３１が設けてある。【００２１】  電源スイッチ１をＯＮしたときヒーター２６に通電し、湯沸容器２３内の水が加熱されて約８５℃になったとき温度センサー２７が感知してヒーター２６の通電をＯＦＦする。この状態はコーヒーを入れる前の待機状態である。【００２２】  次にコーヒーを入れるために出湯スイッチ４を操作するとヒーター２６に通電して、湯が沸騰し、湯沸容器２３内の圧力が上昇して湯が出湯パイプ２８を通ってコーヒーカップ３に注がれる。その間、温度センサー２７の感知によって湯沸容器２３内の湯温度が９０℃以上になったときに電磁弁３０は閉じられている。【００２３】  このようにして水位��Ａと水位線Ｂの間の湯がコーヒーカップ３に注がれる。水位線Ａと水位線Ｂの間の湯がなくなると温度センサー２７が感知してヒーター２６はＯＦＦする。同時にエアー抜きパイプ２９の電磁弁３０が開き、湯沸容器２３内の圧力が下がり、水タンク受け容器２２内の水２５が湯沸容器２３に流れ込み、水位線Ａで止まる。【００２４】  湯沸容器２３に残っている湯と流入した水２５は混ざり合って温度が下がるため、温度センサー２７が感知してヒーター２６がＯＮして湯温度が約８５℃になるまで通電する。再びコーヒーを入れるときまで、この状態で待機する。【００２５】  このように本発明は湯沸容器２３内の湯は約８５℃に保温されて待機状態にあるため、誰でもコーヒーを飲みたいときに簡単操作でコーヒーを入れることができる電気インスタントコーヒーメーカーである。
【図面の簡単な説明】
【００２６】
【図１】  本発明の電気インスタントコーヒーメーカーの基本概観図である。
【図２】  コーヒーカップ一杯分のインスタントコーヒー粉をコーヒーカップに入れるための孔位置を現した本発明の孔配置図である。
【図３】  コーヒーカップ一杯分のインスタントコーヒー粉をコーヒーカップに入れるための本発明の構成図である。
【図４】  本発明の湯沸容器の基本構成と水、湯の流れを現すブロック図である。
【符号の説明】
【００２７】１    電源スイッチ                  ２    粉スイッチ
３    コーヒーカップ                ４    出湯スイッチ
５    水タンク                      ６    瓶容器
７    インスタントコーヒー粉        ８    蓋Ａ
９    蓋Ｂ                          １０  蓋固定板
１１  可動板                        １２  本体
１３  孔Ａ                          １４  孔Ｂ
１５  孔Ｃ                          １６  孔Ｄ
１７  孔Ｅ                          １８  孔Ｆ
１９  孔Ｇ                          ２０  ステッピングモーター
２１  粉出ノズル                    ２２  水タンク受け容器
２３  湯沸容器                      ２４  連結パイプ
２５  水                            ２６  ヒーター
２７  温度センサー                  ２８  出湯パイプ
２９  エアー抜きパイプ              ３０  電磁弁
３１  逆流防止弁
【図１】
2010259766.tif 000003
【図２】
2010259766.tif 000004
【図３】
2010259766.tif 000005
【図４】
2010259766.tif 000006